(57)【特許請求の範囲】
【請求項１】
梁や桁などの横架材を接合する、柱や胴差などの構造材の側面に、背板と該背板の両側に相対設し、しかも、上端に受止縁を、適所に接続孔をそれぞれ設けた側板とで構成した横断面コ字状の接合金物を、前記背板を前記構造材の側面に重ね合わせて固定すると共に、前記横架材の端面に下面開口の凹入部を設け、該凹入部の開放端側の係合溝と該係合溝に連通する奥端側のスリット溝に係合した一対の補強板を、該補強板側の止着孔と前記横架材側の止着孔に止着杆を挿通して前記横架材の端部に取付け、該補強板の前記開放端側の上方に、前記補強板間の係合間隙に係合したときの前記接合金物の前記受止縁に掛止する掛止杆を、前記横架材端部を通じて架設すると共に、前記接続孔に一致させて前記横架材を通じて挿通する接続杆の接続孔を前記補強板に設け、該補強板を、上面が前記横架材の下端に接する仲介板で前記係合溝より外れる前記スリット溝の直下位置において互いに接続して一体的にして接続金物とした、横架材の接合装置
【請求項２】
接続金具の各補強板の前記係合溝より外れる前記スリット溝の直下位置に、仲介板に隣接させて、しかも、補強板に対して直交する方向に突出する受部片を設けた、請求項１記載の横架材の接合装置。
【発明の詳細な説明】
【技術分野】
【０００１】
本発明は、木造建物の梁や桁などの横架材を、柱や胴差などの構造材に接合するために適用する横架材の接合装置に関するものである。
【背景技術】
【０００２】
梁や桁などの横架材を接合する、柱や胴差などの構造材の側面に、背板と該背板の両側に相対設し、しかも、上端に受止縁を、適所に貫挿孔をそれぞれ設けた側板とで構成した横断面コ字形の接合金具を、前記背板を、前記構造材の側面に重ね合わせて固定すると共に、前記横架材の端面に下面開口の凹入部を設け、該凹入部の開放端側の係合溝と、該係合溝に連通する奥端側のスリット溝に補強板を、スリット溝毎に係合して前記接合金具の係合間隙を存して相対設し、該補強板の前記開放端側の上方に、前記係合間隙に係合したときの前記接合金具の前記受止縁に掛止する掛止杆を、前記横架材端部を通じて架設し、前記貫挿孔に一致させて前記横架材を通じて挿通する係止杆の貫挿孔を前記補強板に設けた構造のものがある（例えば、特許文献１）。
【先行技術文献】
【特許文献】
【０００３】
【特許文献１】特開２００３−２２７１７５号公報
【発明の概要】
【発明が解決しようとする課題】
【０００４】
前記従来例のものは、一対の補強板を互いに別体に構成してあるので、該補強板を横架材の端部に係止杆を用いて組付けるとき、各補強板をそれぞれ支えるようにして該補強板に設けた取付け孔と、横架材側に設けた止着孔を一致させた上、これらに止着杆を挿通させなければならず、補強板の横架材に対する組付け作業が煩雑となる。
【０００５】
また、接合状態時には、横架材に負荷される荷重は、構成上、概し、止着杆に集中、負荷されるため、横架材の該止着杆近傍が裂傷するおそれがある。
【０００６】
本発明は、従来例と同様の接合強度を備え、しかも、組付け上の煩雑さや裂傷のおそれをできるだけ低減した横架材の接合装置を提供することを目的として創案したものである。
【課題を解決するための手段】
【０００７】
梁や桁などの横架材を接合する、柱や胴差などの構造材の側面に、背板と該背板の両側に相対設し、しかも、上端に受止縁を、適所に接続孔をそれぞれ設けた側板とで構成した横断面コ字状の接合金物を、前記背板を前記構造材の側面に重ね合わせて固定すると共に、前記横架材の端面に下面開口の凹入部を設け、該凹入部の開放端側の係合溝と該係合溝に連通する奥端側のスリット溝に係合した一対の補強板を、該補強板側の止着孔と前記横架材側の止着孔に止着杆を挿通して前記横架材の端部に取付け、該補強板の前記開放端側の上方に、前記補強板間の係合間隙に係合したときの前記接合金物の前記受止縁に掛止する掛止杆を、前記横架材端部を通じて架設すると共に、前記接続孔に一致させて前記横架材を通じて挿通する接続杆の接続孔を前記補強板に設け、該補強板を、上面が前記横架材の下端に接する仲介板で後端部下端において互いに接続して一体的にして接続金物としたことを基本的手段とする。
【発明の効果】
【０００８】
本発明によれば、従来例と同様、横架材を構造材に確実に接合することのできる接合装置を提供できることは勿論、一対の補強板が仲介板を介して接続されて接続金物の構成材として一体として取扱いのできるものとして構成してあるから、該補強板同士の位置合わせをする必要がなく、従って、横架材に対する組付け作業を簡単に行うことができ、比較的接合作業を円滑に行える接合装置を提供できるものである。しかも、仲介板が横架材側からの負荷荷重を受けるから、従来のように止着杆等のみで受けるものと較べ、横架材の裂傷の可能性を低減することもできる。
【図面の簡単な説明】
【０００９】
【図１】一部欠截正面図。
【図２】図１の平面図。
【図３】構造材に横架材を組付ける直前の正面図。
【図４】分解斜視図。
【図５】構造材と接合金物の関係を示す分解斜視図。
【図６】第二実施形態の接続金物の正面図。
【図７】第三実施形態の接続金物の正面図。
【図８】第四実施形態の一部欠截正面図。
【図９】第四実施形態の平面図。
【図１０】第四実施形態の分解斜視図。
【実施例】
【００１０】
実施形態の接合装置は、横架材（実施形態では梁であるが桁でも良い）１側に接続金物２を取付け（固着し）、該接続金物２と構造材（実施例では柱であるが胴差でも良い）３側に設けた接合金物４を互いに組合わせて前記横架材１を構造材に接合するものである。
【００１１】
接続金物２は、長方形状の一対の補強板５，５と、該補強板５，５を後端部下端において接続して一体にした仲介板６で構成した縦断面コ字状の鋼製枠体で構成し、補強板５，５の先端部（構造材３側の一側部）には、掛止杆７挿通用の透孔８と該透孔８の直下に並べて接続杆９挿通用の、一対の接続孔１０，１０を設け、後端部の、前記仲介板６の直上位置には、一対の、止着杆１１挿通用の止着孔１２，１２を上下方向に並べて設けたものである。
【００１２】
前記横架材１の端部１´の側面の先端には、接続金物２の前記補強板５の先端部に設けた透孔８および一対の接続孔１０，１０と一致する位置にして透孔８Ａおよび一対の接続孔１０Ａ，１０Ａを設け、該接続孔１０Ａより後方側に補強板５に設けた前記止着孔１２，１２と一致する位置にして止着孔１２Ａ，１２Ａを設け、これら透孔８Ａ、接続孔１０Ａおよび止着孔１２Ａと直交する、下面開口の凹入部１３を前記横架材１の端面１´ａに設けてある。
【００１３】
凹入部１３は、前記端面１´ａ側すなわち開放端側の係合溝１３ａと該係合溝１３ａに連通する奥端側両隅部のスリット溝１３ｂ，１３ｂで構成し、横架材１の端面１´ａに設けた、この凹入部１３に、補強板５を、開口下端側から、仲介板６の上面がスリット溝１３ｂ，１３ｂで区画された、舌状の横架材部片１ａに接触するまで挿入して組合わせ、つまり、前記係合溝１３ａより外れるスリット溝１３ｂの直下位置に補強板５が配せられることにより、該補強板５が横架材部片１ａに接触するまで挿入して組合わせたとき、互いに一致するように予め設けてある横架材１側の止着孔１２と接続金物２（補強板５）側の止着孔１２Ａに止着杆１１を挿通し、また、同様に互いに一致するように設けた横架材１側の透孔８Ａと接続金物２（補強板５）側の透孔８に、透孔８Ａ側から掛止杆７を挿通して接続金物２を横架材１の端部に取付け、接続金物２を組付けた横架材１を得られる。
【００１４】
前記接合金物４は、背板１４と該背板１４の両側に相対設し、しかも、上縁に半円状の底縁を備えた受止縁１５を、該受止縁１５の直下の適所に前記補強板５に設けた接続孔１０と一致する位置にして接続孔１０Ｂを設けた一対の側板１６，１６で構成した横断面コ字形の鋼製枠で構成し、構造材３の側面に背板１４を重ね合わせ、該背板１４に設けた取付け孔１７に取付け杆１８（実施形態ではボルト杆を用いるが取付け手段は自由に選択すれば良い）を挿通して構造材３に取付けたものである。
【００１５】
そして、構造材３に取付けた（固定した）接合金物４を、横架材１に組付けた接続金物２の補強板５，５間の係合間隙１９内に係合するようにして、横架材１を構造材３に沿わせて降下させ、横架材１側に架設した掛止杆７を構造材３の接合金物４の受止縁１５に係合、受支させると、横架材１は構造材３に仮接合された状態となる。
【００１６】
この仮接合状態で、横架材１側の接続孔１０，１０Ａと構造材３（接合金物２）側の接続孔１０Ｂに前記接続杆９を挿通させると、横架材１の構造材３に対する実施形態を利用した接合状態を得ることができる。
【００１７】
なお、図６、図７および図８乃至図１０で示す第二、第三および第四の各実施形態の接続金物は、第一実施形態のものと、同じ符号で示すように、横架材１の大きさに合わせて止着孔１２、接続孔１０の数、位置を変えただけ（もとより、これに対応して、接合金物２の大きさ、接続孔１０Ａの位置も変るが）、残余の点は、第一実施形態と同様であるので説明は省略する。
【００１８】
もっとも、図８乃至図１０で示す第四実施形態の接続金物２は、補強板５の下端の先後の中間部に仲介板６に隣接させて補強板５に対して直交する方向に突出する受部片２６を設け、接続金物２を横架材１に組付けたとき、前記横架材部片１ａに仲介板６の上面が接すると同様に、この受部片２６が横架材部１ａ´に接してこれからの荷重を受け、尚一層の耐荷重強度を得られるようにしてある。
【符号の説明】
【００１９】
１            横架材
３            構造材
４            接合金物
５            補強板
６            仲介板
７            掛止杆
１０，１０Ｂ  接続孔
１１          止着杆
１２，１２Ａ  止着孔
１３          凹入部
１３ａ        係合溝
１３ｂ        スリット溝
１４          背板
１５          受支縁
１６          側板
【図１】
0005398460.tif 000002
【図２】
0005398460.tif 000003
【図３】
0005398460.tif 000004
【図４】
0005398460.tif 000005
【図５】
0005398460.tif 000006
【図６】
0005398460.tif 000007
【図７】
0005398460.tif 000008
【図８】
0005398460.tif 000009
【図９】
0005398460.tif 000010
【図１０】
0005398460.tif 000011